(57)【要約】【課題】  高いコントラスト比が得られるとともに，省電力化が図られたプラズマディスプレイの駆動方法及び駆動装置を提供する。【解決手段】  プラズマディスプレイパネル駆動装置は，入力される映像データからサブフィールドデータを生成して出力するサブフィールドデータ生成部３０，サブフィールドデータに対応する電圧をアドレス電極に印加するアドレスデータ駆動部４０，サブフィールドデータを参照してアドレスデータのないサブフィールド区間を検出し，検出されたサブフィールド区間の実行時にリセット動作が制限されるように制御信号を出力するアドレスデータ判読部５０，及びアドレスデータ判読部から出力された制御信号に対応する電圧を走査電極と維持電極に印加する走査・維持パルス駆動部６０を含む。【選択図】  図４
2005122120.tif 000002
【特許請求の範囲】
【請求項１】
アドレス電極と，前記アドレス電極と交差するように互いに対を成して配列された走査電極及び維持電極と，を含むプラズマディスプレイパネルの駆動装置において：
映像データからサブフィールドデータを生成して出力するサブフィールドデータ生成部と；
前記サブフィールドデータに対応する電圧を前記アドレス電極に印加するアドレスデータ駆動部と；
前記サブフィールドデータを参照してアドレスデータのないサブフィールド区間を検出し，検出されたサブフィールド区間の実行時にリセット動作が制限されるように制御信号を出力するアドレスデータ判読部と；
前記制御信号に応じて，電圧を前記走査電極と前記維持電極に印加する走査・維持パルス駆動部と；
を含むことを特徴とする，プラズマディスプレイパネルの駆動装置。
【請求項２】
前記アドレスデータ判読部は，
アドレスデータのないサブフィールド区間内のリセット区間において，前記走査・維持パルス駆動部が，前記走査電極を第１電圧レベルに維持し，さらに前記走査電極を前記第１電圧レベルから第２電圧レベルまで漸進的に下降させた後，前記走査電極を前記第２電圧レベルに維持するように，
前記制御信号を用いて前記走査・維持パルス駆動部を制御することを特徴とする，請求項１に記載のプラズマディスプレイパネルの駆動装置。
【請求項３】
前記第１電圧レベルは正の電圧レベルであり，前記第２電圧レベルは負の電圧レベルであることを特徴とする，請求項２に記載のプラズマディスプレイパネルの駆動装置。
【請求項４】
前記アドレスデータ判読部は，
アドレスデータのないサブフィールド区間内のアドレス区間において，前記走査・維持パルス駆動部が前記走査電極に一定電圧を印加するように，
前記制御信号を用いて前記走査・維持パルス駆動部を制御することを特徴とする，請求項２または３に記載のプラズマディスプレイパネルの駆動装置。
【請求項５】
前記アドレスデータ判読部は，
アドレスデータのないサブフィールド区間内のリセット区間において，前記走査・維持パルス駆動部が，前記走査電極を第１電圧レベルまで漸進的に上昇させて当該第１電圧レベルに維持し，さらに前記走査電極を前記第１電圧レベルから接地電圧レベルまで漸進的に下降させた後，前記走査電極を前記接地電圧レベルに維持するように，
前記制御信号を用いて前記走査・維持パルス駆動部を制御することを特徴とする，請求項１に記載のプラズマディスプレイパネルの駆動装置。
【請求項６】
前記アドレスデータ判読部は，
アドレスデータのないサブフィールド区間内のアドレス区間において，前記走査・維持パルス駆動部が前記走査電極にスキャンパルスを印加しないように，
前記制御信号を用いて前記走査・維持パルス駆動部を制御することを特徴とする，請求項５に記載のプラズマディスプレイパネルの駆動装置。
【請求項７】
前記アドレスデータ判読部は，
アドレスデータのないサブフィールド区間内のリセット区間において，前記走査・維持パルス駆動部が，前記走査電極を第１電圧レベルに維持し，さらに前記走査電極を前記第１電圧レベルから接地電圧レベルまで漸進的に下降させた後，前記走査電極を前記接地電圧レベルに維持するように，
前記制御信号を用いて前記走査・維持パルス駆動部を制御することを特徴とする，請求項１に記載のプラズマディスプレイパネルの駆動装置。
【請求項８】
前記アドレスデータ判読部は，
アドレスデータのないサブフィールド区間内のアドレス区間において，前記走査・維持パルス駆動部が前記走査電極にスキャンパルスを印加しないように，
前記制御信号を用いて前記走査・維持パルス駆動部を制御することを特徴とする，請求項７に記載のプラズマディスプレイパネルの駆動装置。
【請求項９】
前記アドレスデータ判読部は，
アドレスデータのないサブフィールド区間内のリセット区間において，前記走査・維持パルス駆動部が前記走査電極を電気的浮遊状態とするように，
前記制御信号を用いて前記走査・維持パルス駆動部を制御することを特徴とする，請求項１に記載のプラズマディスプレイパネルの駆動装置。
【請求項１０】
前記アドレスデータ判読部は，
アドレスデータのないサブフィールド区間内のリセット区間において，前記走査・維持パルス駆動部が前記走査電極を接地電圧レベルに維持するように，
前記制御信号を用いて前記走査・維持パルス駆動部を制御することを特徴とする，請求項１に記載のプラズマディスプレイパネルの駆動装置。
【請求項１１】
前記アドレスデータ判読部は，
アドレスデータのないサブフィールド区間内のリセット区間において，前記走査・維持パルス駆動部が前記走査電極をバイアス電圧レベルに維持するように，
前記制御信号を用いて前記走査・維持パルス駆動部を制御することを特徴とする，請求項１に記載のプラズマディスプレイパネルの駆動装置。
【請求項１２】
アドレス電極と，前記アドレス電極と交差するように互いに対を成して配列された走査電極及び維持電極と，を含むプラズマディスプレイパネルの駆動装置において：
映像データからサブフィールドデータを生成して出力するサブフィールドデータ生成部と；
前記サブフィールドデータに対応する電圧を前記アドレス電極に印加するアドレスデータ駆動部と；
前記サブフィールドデータを参照してアドレスデータのないサブフィールド区間を検出し，当該検出されたサブフィールド区間の実行時にアドレス動作が制限されるように制御信号を出力するアドレスデータ判読部と；
前記制御信号に応じて，電圧を前記走査電極と前記維持電極に印加する走査・維持パルス駆動部と；
を含むことを特徴とする，プラズマディスプレイパネルの駆動装置。
【請求項１３】
前記アドレスデータ判読部は，
アドレスデータのないサブフィールド区間内のアドレス区間において，前記走査・維持パルス駆動部が前記走査電極を第１電圧レベルに維持するように，
前記制御信号を用いて前記走査・維持パルス駆動部を制御することを特徴とする，請求項１２に記載のプラズマディスプレイパネルの駆動装置。
【請求項１４】
アドレス電極と，前記アドレス電極と交差するように互いに対を成して配列された走査電極及び維持電極と，を含むプラズマディスプレイパネルの駆動装置において：
映像データからサブフィールドデータを生成して出力するサブフィールドデータ生成部と；
前記サブフィールドデータに対応する電圧を前記アドレス電極に印加するアドレスデータ駆動部と；
前記サブフィールドデータを参照してアドレスデータのないサブフィールド区間を検出し，前記検出したサブフィールド区間が省略され，その次のサブフィールド区間が実行されるようにするための制御信号を出力するアドレスデータ判読部と；
前記制御信号に応じて，電圧を前記走査電極と前記維持電極に印加する走査・維持パルス駆動部と；
を含むことを特徴とする，プラズマディスプレイパネルの駆動装置。
【請求項１５】
アドレス電極と，前記アドレス電極と交差するように互いに対を成して配列された走査電極及び維持電極と，を含むプラズマディスプレイパネルの駆動方法において：
映像データからサブフィールドデータを生成するサブフィールドデータ生成段階と；
前記サブフィールドデータに基づいて，アドレスデータが存在しないサブフィールド区間を検出する段階と；
前記検出されたサブフィールド区間の実行時にリセット動作が制限されるように制御信号を生成する段階と；
前記制御信号に応じて，電圧を前記走査電極に印加する段階と；
を含むことを特徴とする，プラズマディスプレイパネルの駆動方法。
【請求項１６】
アドレス電極と，前記アドレス電極と交差するように互いに対を成して配列された走査電極及び維持電極と，を含むプラズマディスプレイパネルの駆動方法において：
映像データからサブフィールドデータを生成するサブフィールドデータ生成段階と；
前記サブフィールドデータに基づいて，アドレスデータが存在しないサブフィールド区間を検出する段階と；
前記検出されたサブフィールド区間の実行時にアドレス動作が制限されるように制御信号を生成する段階と；
前記制御信号に応じて，電圧を前記走査電極に印加する段階と；
を含むことを特徴とする，プラズマディスプレイパネルの駆動方法。
【請求項１７】
アドレス電極と，前記アドレス電極と交差するように互いに対を成して配列された走査電極及び維持電極と，を含むプラズマディスプレイパネルの駆動方法において：
映像データからサブフィールドデータを生成するサブフィールドデータ生成段階と；
前記サブフィールドデータに基づいて，アドレスデータが存在しないサブフィールド区間を検出する段階と；
前記検出されたサブフィールド区間が省略され，その次のサブフィールド区間が実行されるようにするための制御信号を生成する段階と；
前記制御信号に応じて，電圧を前記走査電極に印加する段階と；
を含むことを特徴とする，プラズマディスプレイパネルの駆動方法。
【発明の詳細な説明】
【技術分野】
【０００１】
本発明は，プラズマディスプレイパネル（ＰＤＰ）を駆動する方法及び駆動装置に関する。
【背景技術】
【０００２】
プラズマディスプレイパネルは，気体放電によって生成されたプラズマを利用して文字または映像を表示する平面表示装置であって，その大きさによって数十から数百万個以上の画素がマトリックス形態で配列されている。このようなプラズマディスプレイパネルは印加される駆動電圧波形の形態と放電セルの構造によって直流形（ＤＣ形）と交流形（ＡＣ形）に区分される。
【０００３】
一般に交流形プラズマディスプレイパネルの駆動工程は，時間的な動作変化で表現すれば，リセット期間，アドレシング期間，及び維持期間で構成される。
【０００４】
図１は交流形プラズマディスプレイパネルの一部斜視図である。
【０００５】
図１に示すように，第１ガラス基板１上には誘電体層２及び保護膜３で覆われた走査電極４と維持電極５が対を成して平行に設置される。第２ガラス基板６上には絶縁体層７で覆われた複数のアドレス電極８が設置される。アドレス電極８の間にある絶縁体層７上にはアドレス電極８と平行に隔壁９が形成されている。また，絶縁体層７の表面及び隔壁９の両側面に蛍光体１０が形成されている。第１ガラス基板１と第２ガラス基板６は，走査電極４とアドレス電極８が直交するように，また維持電極５とアドレス電極８が直交するように放電空間１１を間に置いて対向して配置されている。アドレス電極８と，対を成す走査電極４と維持電極５との交差部にある放電空間が放電セル１２を形成する。
【０００６】
図２はプラズマディスプレイパネルの電極配列図を示す。
【０００７】
図２に示すように，ＰＤＰ電極は，ｍ×ｎのマトリックス構成を有している。具体的には，列方向にｍ本のアドレス電極（Ａ１〜Ａｍ）が配列されている。また，行方向にはｎ対の走査電極（Ｙ１〜Ｙｎ）と維持電極（Ｘ１〜Ｘｎ）が，それぞれの端部がジグザグとなるように配列されている。図２に示した放電セル１２は，図１に示した放電セル１２に対応する。
【０００８】
図３は従来のプラズマディスプレイパネルの駆動波形を示した図面である。
【０００９】
図３に示すように，従来のＰＤＰ駆動方法によると，各サブフィールドは，リセット区間，アドレス区間，維持放電区間で構成される。
【００１０】
リセット区間は，直前の維持放電によって形成された壁電荷状態を消去し，次のアドレシング動作が円滑に行われるようにするために，各セルの状態を初期化する期間である。このリセット区間は，更に細分化され，消去区間，Ｙランプ上昇区間，Ｙランプ下降区間に分けられる。
【００１１】
消去区間では，維持電極（Ｘ電極）に対して，０ボルトから＋Ｖｅボルトに向かってなだらかに上昇する消去ランプ電圧（Ｖｅ信号の前半）が印加され，Ｘ電極と走査電極（Ｙ電極）の壁電荷が消去される。
【００１２】
Ｙランプ上昇区間では，アドレス電極（Ａ電極）及びＸ電極は０Ｖに維持され，Ｙ電極に対して，電圧Ｖ１から電圧Ｖ２に向かってなだらかに上昇するランプ電圧が印加される。ここで，電圧Ｖ１は，Ｘ電極に対して放電が開始する電圧以下のレベルであり，電圧Ｖ２は，Ｘ電極に対して放電が開始する電圧を超えるレベルである。このランプ電圧が上昇する間に全ての放電セルではＹ電極からアドレス電極及びＸ電極に１回目の弱いリセット放電が起こる。
【００１３】
Ｙランプ下降区間では，Ｘ電極を定電圧Ｖｅに維持した状態で，Ｙ電極に対して，電圧Ｖ１から負電圧Ｖ３に向かってなだらかに下降するランプ電圧が印加される。ここで，負電圧Ｖ３は，Ｘ電極とＹ電極との間の逆極性放電が開始する電圧を超えるレベルである。負電圧Ｖ３の目安は（Ｖｅ−Ｖ２）である。このランプ電圧が下降する間に再び全ての放電セルでは２回目の弱いリセット放電が起こる。
【００１４】
リセット動作が完了したところで，Ｙ電極に順次にスキャンパルスが印加され，アドレスデータが印加されたセルに壁電荷を積む。
【００１５】
維持放電区間はアドレシングされたセルに実際に画像を表示するための放電を行う期間である。維持放電区間においては，Ｘ電極とＹ電極に維持パルスが交互に印加されて，瞬間的な維持放電がパルス毎に生じ，映像が表示される。
【発明の開示】
【発明が解決しようとする課題】
【００１６】
このような従来のプラズマディスプレイパネル及びその駆動方法によれば，アドレスデータの存在有無に関係なくリセット動作及びアドレス動作が行われるため，必要以上に背景輝度が高くなり，この結果，コントラストが低下し，消費電力が増加するおそれがあった。
【００１７】
特に，解像度の高いプラズマディスプレイパネルは多数の走査電極及びサブフィールドを必要とし，パネルのサイズが大きいプラズマディスプレイパネルは一ライン当りのラインキャパシタンスが大きくなる。このようなプラズマディスプレイパネルでは，高いスキャンバイアス電圧が必要となり，結果として消費電力が増加する。このような消費電力の増加はスキャン集積回路の温度を上昇させるなど，多様な問題を招く。
【００１８】
本発明は，このような問題に鑑みてなされたもので，その目的は，高いコントラスト比が得られるとともに，省電力化が図られた新規かつ改良されたプラズマディスプレイの駆動方法及び駆動装置を提供することにある。
【課題を解決するための手段】
【００１９】
上記課題を解決するために，本発明の第１の観点によれば，アドレス電極と，アドレス電極と交差するように互いに対を成して配列された走査電極及び維持電極と，を含むプラズマディスプレイパネルの駆動装置が提供される。そして，この駆動装置は，外部から入力される映像データからサブフィールドデータを生成して出力するサブフィールドデータ生成部と，サブフィールドデータに対応する電圧をアドレス電極に印加するアドレスデータ駆動部と，サブフィールドデータを参照してアドレスデータのないサブフィールド区間を検出し，検出されたサブフィールド区間の実行時にリセット動作が制限されるように制御信号を出力するアドレスデータ判読部と，アドレスデータ判読部が出力する制御信号に応じて，電圧を走査電極と維持電極に印加する走査・維持パルス駆動部と，を含むことを特徴としている。
【００２０】
上記課題を解決するために，本発明の第２の観点によれば，アドレス電極と，アドレス電極と交差するように互いに対を成して配列された走査電極及び維持電極と，を含むプラズマディスプレイパネルの駆動装置が提供される。そして，この駆動装置は，映像データからサブフィールドデータを生成して出力するサブフィールドデータ生成部と，サブフィールドデータに対応する電圧をアドレス電極に印加するアドレスデータ駆動部と，サブフィールドデータを参照してアドレスデータのないサブフィールド区間を検出し，検出されたサブフィールド区間の実行時にアドレス動作が制限されるように制御信号を出力するアドレスデータ判読部と，制御信号に応じて，電圧を走査電極と維持電極に印加する走査・維持パルス駆動部と，を含むことを特徴としている。
【００２１】
上記課題を解決するために，本発明の第３の観点によれば，アドレス電極と，アドレス電極と交差するように配列された走査電極・維持電極対と，を含むプラズマディスプレイパネルの駆動装置が提供される。そして，この駆動装置は，映像データからサブフィールドデータを生成して出力するサブフィールドデータ生成部と，サブフィールドデータに対応する電圧をアドレス電極に印加するアドレスデータ駆動部と，サブフィールドデータを参照してアドレスデータのないサブフィールド区間を検出し，検出されたサブフィールド区間が省略され，その次のサブフィールド区間が実行されるようにするための制御信号を出力するアドレスデータ判読部と，制御信号に対応する電圧に応じて，走査電極と維持電極に印加する走査・維持パルス駆動部と，を含むことを特徴としている。
【００２２】
上記課題を解決するために，本発明の第４の観点によれば，アドレス電極と，アドレス電極と交差するように配列された走査電極・維持電極対と，を含むプラズマディスプレイパネルの駆動方法が提供される。そして，この駆動方法は，映像データからサブフィールドデータを生成するサブフィールドデータ生成段階と，サブフィールドデータに基づいて，アドレスデータが存在しないサブフィールド区間を検出する段階と，検出されたサブフィールド区間の実行時にリセット動作が制限されるように制御信号を生成する段階と，制御信号に応じて，電圧を走査電極に印加する段階と，を含むことを特徴としている。
【００２３】
上記課題を解決するために，本発明の第５の観点によれば，アドレス電極と，アドレス電極と交差するように配列された走査電極・維持電極対と，を含むプラズマディスプレイパネルの駆動方法が提供される。そして，この駆動方法は，映像データからサブフィールドデータを生成するサブフィールドデータ生成段階と，サブフィールドデータに基づいて，アドレスデータが存在しないサブフィールド区間を検出する段階と，検出されたサブフィールド区間の実行時にアドレス動作が制限されるように制御信号を生成する段階と，制御信号に応じて，電圧を走査電極に印加する段階と，を含むことを特徴としている。
【００２４】
上記課題を解決するために，本発明の第６の観点によれば，アドレス電極と，アドレス電極と交差するように配列された走査電極及び維持電極対と，を含むプラズマディスプレイパネルの駆動方法が提供される。そして，この駆動方法は，映像データからサブフィールドデータを生成するサブフィールドデータ生成段階と，サブフィールドデータに基づいて，アドレスデータが存在しないサブフィールド区間を検出する段階と，検出されたサブフィールド区間が省略され，その次のサブフィールド区間が実行されるようにするための制御信号を生成する段階と，制御信号に応じて，電圧を走査電極に印加する段階と，を含むことを特徴としている。
【発明の効果】
【００２５】
本発明によれば，アドレスデータのないサブフィールド区間におけるリセット動作の遂行が適宜制限されるため，プラズマディスプレイパネルのコントラストを向上させることができる。
【００２６】
また，アドレスデータのないサブフィールド区間におけるアドレス動作が抑制されるため，プラズマディスプレイパネルの消費電力を低減させることができる。これによって，例えば，スキャンＩＣの温度上昇を抑えることが可能となる。
【発明を実施するための最良の形態】
【００２７】
以下，添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
以下の説明で，「壁電荷」は，各電極に近い放電セルの壁（例えば，誘電体層）に形成されて電極に蓄積される電荷を意味する。このような壁電荷は，実際には電極自体に接触することはないが，ここでは壁電荷が電極に「形成される」，「蓄積される」，または「積まれる」等の表現が用いられる。また，「壁電圧」は，壁電荷によって放電セルの壁に形成される電位差のことである。また，走査電極を「Ｙ電極」，維持電極を「Ｘ電極」と記す。
【００２９】
図４は，本発明の実施の形態に係るプラズマディスプレイパネルの駆動装置を概略的に示したブロック図である。
【００３０】
本発明の実施の形態に係るプラズマディスプレイパネル７０の駆動装置は，映像信号処理部１０，ガンマ補正・誤差確認部２０，サブフィールドデータ生成部３０，アドレスデータ駆動部４０，アドレスデータ判読部５０，及び走査・維持パルス駆動部６０を含む。
【００３１】
映像信号処理部１０は，外部から入力される映像信号をデジタル化してデジタル映像データを生成する。ガンマ補正・誤差確認部２０は，プラズマディスプレイパネル７０の特性に合うように，入力されたデジタル映像データを，そのガンマ値を補正し，さらに表示誤差を周辺の画素に対して拡散処理して出力する。サブフィールドデータ生成部３０は，デジタル映像データからサブフィールドデータを生成して出力する。アドレスデータ駆動部４０は，サブフィールドデータ生成部３０から出力されたサブフィールドデータに対応する電圧をアドレス電極（Ａ１，Ａ２，…，Ａｍ）に印加する。
【００３２】
アドレスデータ判読部５０は，サブフィールドデータ生成部３０からサブフィールドデータを取得して，各サブフィールドデータにおけるアドレスデータの有無を判読する。そして，アドレスデータ判読部５０は，アドレスデータが存在しないサブフィールド区間においてはリセット動作及び／または維持動作が実行されないようにリセット動作及び／または維持動作を制限し，または当該サブフィールド区間が実行されずに次のサブフィールド区間が直ちに実行されるように，後段の走査・維持パルス駆動部６０に制御信号を与える。
【００３３】
走査・維持パルス駆動部６０は，アドレスデータ判読部５０が出力した制御信号に応じて維持パルス及び走査パルスを生成して走査電極（Ｙ１，Ｙ２，…，Ｙｎ）と維持電極（Ｘ１，Ｘ２，…，Ｘｎ）に各々印加する。
【００３４】
本発明の実施の形態によれば，上述のようにアドレスデータ判読部５０は，各々のサブフィールド区間でアドレスデータの存在有無を判読しアドレスデータがない場合，走査・維持パルス駆動部６０に所定の制御信号を与える。これによって，走査・維持パルス駆動部６０は，当該サブフィールド区間におけるリセット動作及び／またはアドレス動作が実行されないように，あるいは当該サブフィールド区間が実行されないようにする。
【００３５】
図５ａ及び図５ｂは，本発明の第１の実施の形態に係るプラズマディスプレイパネルの駆動波形図である。このうち図５ａは，サブフィールド区間にアドレスデータがある場合のＹ電極に印加される電圧波形を示しており，図５ｂは，サブフィールド区間にアドレスデータがない場合のＹ電極に印加される電圧波形を示している。
【００３６】
図５ａ及び図５ｂに示すように，本発明の第１の実施の形態によれば，サブフィールド区間にアドレスデータがある場合には，スキャンパルス６１をＹ電極に印加してアドレス動作を行い，アドレスデータがない場合には，スキャンパルスをＹ電極に印加しないことによってアドレス動作を抑制，制限（不実行化）する。
【００３７】
具体的には，アドレスデータ判読部５０は，サブフィールドデータ生成部３０からサブフィールドデータに関する情報を取得し，アドレスデータがないサブフィールド区間の場合にアドレス区間内にスキャンパルスを印加しないように走査・維持パルス駆動部６０に制御信号を与える。走査・維持パルス駆動部６０は，アドレスデータ判読部５０から与えられた制御信号に応じて，当該サブフィールド区間においてスキャンパルスをＹ電極に印加しないことによりアドレス動作を抑制，制限する。
【００３８】
このように，アドレスデータがなくてアドレス動作を行う必要がない場合，アドレス区間内にスキャンパルスをＹ電極に印加しないことによりプラズマディスプレイパネルの駆動時に消費される電力を減少させることができる。これによって，走査・維持パルス駆動部６０の温度上昇を抑えることが可能となる。
【００３９】
図６〜図８はそれぞれ，本発明の第２〜４の実施の形態に係るプラズマディスプレイパネルの駆動波形である。各実施の形態によれば，サブフィールド区間にアドレスデータがない場合，Ｙ電極のリセット動作が制限（不実行化）される。
【００４０】
図６に示すように，本発明の第２の実施の形態によれば，リセット区間のＹランプ上昇区間Ｔ１でＹ電極に印加される電圧が例えば電圧Ｖ１に制限される（電圧Ｖ１と異なるレベルに制限することも可能である）。したがって，リセット区間において，壁電荷を積む動作（具体的には，Ｙ電極に負の壁電荷を積み，Ｘ電極とＡ電極に正の壁電荷を積む動作）が制限される。これによって，従来，アドレスデータがなくても壁電荷によって発生した微弱なリセット放電が，本実施の形態においては発生しなくなる。
【００４１】
このように，本実施の形態によれば，リセット期間において，リセット放電が不要なときにはこれが判定され，リセット放電の発生が抑制される。したがって，背景輝度を低減させて，コントラストを向上させることができる。
【００４２】
図７に示すように，本発明の第３の実施の形態によれば，Ｙランプ上昇区間Ｔ１ではＹ電極に上昇ランプ電圧が印加され，Ｙランプ下降区間Ｔ２ではＹ電極に印加される電圧が制限される。具体的には，Ｙランプ下降区間Ｔ２では，まずＹ電極に下降電圧を印加して接地電圧レベルまで漸進的に下降させる。その後，Ｙ電極が接地電圧レベルに達したところでこのレベルを維持するようにする。
【００４３】
この場合，Ｘ電極とＹ電極との間に放電が発生しないようにするために，アドレス区間において，Ｙ電極にスキャンパルスが印加されないように制御することが好ましい。つまり，Ｙランプ上昇区間Ｔ１では，Ｙ電極には負の電荷が積まれ，アドレス電極とＸ電極には正の電荷が積まれるが，Ｙ電極に下降ランプ電圧を印加しない状況で再びスキャンパルスがＹ電極に印加されると，Ｘ電極とＹ電極との間の電圧と，壁電荷によって形成された電圧とによって，Ｘ電極とＹ電極との間に放電が発生することがある。
【００４４】
したがって，アドレス判読部５０は，Ｙランプ下降区間Ｔ２においてＹ電極に印加される電圧を制限しようとする場合，スキャンパルスもＹ電極に印加されないように走査・維持パルス駆動部６０に制御信号を与えることが好ましい。
【００４５】
以上のように，本発明の第３の実施の形態によれば，リセット区間のＹランプ上昇区間Ｔ１において積まれた壁電荷を除去する動作が制限されるため，従来，Ｙランプ下降区間Ｔ２で発生した微弱なリセット放電の発生が抑制できる。また，アドレス動作が制限されることにより，プラズマディスプレイパネルの駆動時に消費される電力が減少し，走査・維持パルス駆動部６０の温度を低減させることができる。
【００４６】
図８に示すように，本発明の第４の実施形態によれば，Ｙランプ上昇区間Ｔ１においてＹ電極に印加される電圧が例えば電圧Ｖ１に制限され（電圧Ｖ１と異なるレベルに制限することも可能である），Ｙランプ下降区間Ｔ２においてＹ電極に印加される電圧が接地電圧に制限される（接地電圧と異なるレベルに制限することも可能である）。この結果，リセット区間において，壁電荷を積む動作（具体的には，Ｙ電極に負の壁電荷を積み，Ｘ電極とＡ電極に正の壁電荷を積む動作）及び壁電荷を除去する動作（具体的には，Ｙ電極から負の壁電荷を消去し，Ｘ電極とＡ電極から正の壁電荷を消去する動作）が共に抑制，制限され，Ｙランプ上昇区間Ｔ１とＹランプ下降区間Ｔ２でのリセット放電の発生が抑制される。この場合にも，スキャンパルスがＹ電極に印加されないようにアドレス動作を制限することが好ましい。
【００４７】
なお，図８には，Ｙ電極に印加される上昇ランプ電圧と下降ランプ電圧のみを抑制した場合を示したが，例えば，アドレスデータがないサブフィールド区間の場合，リセット動作において，Ｙ電極にバイアス電圧のみを印加し，Ｙ電極を電気的浮遊状態にし，またはＹ電極を接地電圧レベルに維持するようにしてもよい。
【００４８】
本発明の第５の実施の形態によれば，アドレスデータ判読部５０は，アドレスデータがないサブフィールド区間については，これが実行されないように走査・維持パルス駆動部６０を制御することが可能である。
【００４９】
以上，添付図面を参照しながら本発明の好適な実施形態について説明したが，本発明は係る例に限定されない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５０】
本発明は，プラズマディスプレイ装置に適用可能である。
【図面の簡単な説明】
【００５１】
【図１】交流形プラズマディスプレイパネルの一部斜視図である。
【図２】プラズマディスプレイパネルの電極配列図である。
【図３】従来のプラズマディスプレイパネルの駆動波形図である。
【図４】本発明の実施の形態に係るプラズマディスプレイパネルの駆動装置を概略的に示すブロック図である。
【図５ａ】本発明の第１の実施の形態に係るプラズマディスプレイパネルの駆動波形図であって，サブフィールド区間にアドレスデータがある場合の駆動波形図である。
【図５ｂ】本発明の第１の実施の形態に係るプラズマディスプレイパネルの駆動波形図であって，サブフィールド区間にアドレスデータがない場合の駆動波形図である。
【図６】本発明の第２の実施の形態に係るプラズマディスプレイパネルの駆動波形図である。
【図７】本発明の第３の実施の形態に係るプラズマディスプレイパネルの駆動波形図である。
【図８】本発明の第４の実施の形態に係るプラズマディスプレイパネルの駆動波形図である。
【符号の説明】
【００５２】
１０      映像信号処理部
２０      ガンマ補正・誤差確認部
３０      サブフィールドデータ生成部
４０      アドレスデータ駆動部
５０      アドレスデータ判読部
６０      走査・維持パルス駆動部
７０      プラズマディスプレイパネル
【図１】
2005122120.tif 000003
【図２】
2005122120.tif 000004
【図３】
2005122120.tif 000005
【図４】
2005122120.tif 000006
【図５ａ】
2005122120.tif 000007
【図５ｂ】
2005122120.tif 000008
【図６】
2005122120.tif 000009
【図７】
2005122120.tif 000010
【図８】
2005122120.tif 000011